(57)【要約】【課題】写真プリント費用を広告主が少なくても一部負担することができるとともに、プリント依頼者の個人情報と画像属性情報を組み合わせる事により広告対象者を絞った適切な広告付画像を提供することである。【解決手段】  複数の広告からなる広告群から、撮影者乃至は鑑賞者の個人情報と、画像の内容に関わる分類可能な画像属性情報の少なくとも一つの情報と、広告を提供する広告主の要望情報とに基づいて前記広告群の内から広告を選択し、前記選択された広告を前記画像に付加するが、略同一の広告が偏らないようにするため付加する広告が所定数を越すと他の広告を付加するようにする。 【選択図】  図１
2008040624.tif 000002
【特許請求の範囲】
【請求項１】
撮影者によって撮影された写真を含む画像に広告を付加する広告付加装置で、撮影者乃至は観察者の個人情報と、前記画像を分類した画像分類情報の少なくとも一つの情報と、広告を提供する広告主の要望情報とに基づいて複数の広告からなる広告群の内から適した広告を選択し、また前記選択された広告が略同一の広告で、前記広告の数が所定数を越えた場合は他の広告を選択する選択手段と、前記選択手段に選択された広告を画像に付加するよう制御する制御手段を備えた広告付加装置。
【請求項２】
撮影者によって撮影された写真を含む画像に広告を付加する方法で、撮影者乃至は観察者の個人情報と、前記画像を分類する画像分類情報の少なくとも一つの情報と、前記広告を提供する広告主の要望情報とに基づいて複数の広告からなる広告群の内から適した広告を選択するステップと、付加する略同一広告の数が所定数を越えると他の広告を選択するステップと、前記選択された広告を前記画像に付加するステップとを備えた広告付加方法。
【請求項３】
撮影者によって撮影された写真を含む画像に広告が付加される広告付き画像で、前記撮影者乃至は観察者の個人情報と、前記画像を分類した画像分類情報の少なくとも一つの情報と、広告を提供する広告主の要望情報とに基づいて前もって記憶された広告群の内から広告を選択し、前記選択される広告が略同一でその広告の数が所定数を越えると他の広告を選択して付加するように制御される広告付き画像。
【発明の詳細な説明】
【技術分野】
【０００１】
本発明は、写真を含む画像に広告を付加する装置及び撮影者乃至は写真を観察する観察者と広告主の双方に利する広告付加方法、広告付き画像に関し、特に広告主からの広告を大量に出回る写真を含む画像に付加し、更に、写真のプリント及び画像の処理に関する費用を広告主が少なくとも一部を負担するようにした広告付加装置、広告付加方法並びに広告付き画像に関する。
【背景技術】
【０００２】
従来、撮影者が撮影した画像を解析して画像情報を得、その画像情報に適切な広告を選択して写真に付加する方法について知られている（例えば特許文献１）。
また、撮影者がプリント依頼時にアンケート用紙に記載した撮影者情報に基づいて複数の広告を記憶するデータベースから適合する広告を選択し、写真プリントに付加し、広告主が写真プリントに関する費用を少なくとも一部負担する広告付写真プリントの製造方法は知られている（例えば特許文献２）。
【０００３】
【特許文献１】特開２００２−１５２２０
【特許文献２】特開２００４−１７７７２７
【発明の開示】
【発明が解決しようとする課題】
【０００４】
上述の特許文献１では、撮影者が撮影した画像を解析して画像情報を得るものである。特許文献２では、撮影者が写真を撮ってプリントを依頼する場合に依頼時にアンケート用紙に撮影者が記載した情報、例えば、撮影者の性別、年齢、家族構成、職種、地域、趣味に基づいて付加した広告である。しかしながら、特許文献１、２共、同一種類の写真を何枚プリントした場合には同じ広告が付加される。広告が多く出回ることは広告主にとって好都合であるが、ある程度出回ると新鮮味がなくなり、広告の効果が薄れてくる可能性がある。広告の出る数の出回る割合に応じて効果が出るものでない。いわゆる収穫逓減の法則のような影響がでてくる。例えば一つの広告主でも複数の商品を扱っている場合も多く、同じ商品の広告よりは自社の他の商品の広告も出せばそれだけ広告主から見れば効果がでて売上に寄与するものである。
【０００５】
本発明は、このような従来の構成が有していた問題を解決しようとするものであり、写真を提供される撮影者乃至は観察者に適した広告を選択し、広告主を失望させない広告付写真プリント装置を提供し、特に一つの広告に偏らない広告付写真プリント装置を提供するものである。
【課題を解決するための手段】
【０００６】
本発明は、撮影者によって撮影された写真を含む画像に広告を付加する広告付加装置で、撮影者乃至は観察者の個人情報と、前記画像を分類した画像分類情報の少なくとも一つの情報と、広告を提供する広告主の要望情報とに基づいて複数の広告からなる広告群の内から適した広告を選択し、また前記選択された広告が略同一の広告で、前記広告の数が所定数を越えた場合は他の広告を選択する選択手段と、前記選択手段に選択された広告を画像に付加するよう制御する制御手段を備えた広告付加装置を提供することにある。
【０００７】
さらに、撮影者によって撮影された写真を含む画像に広告を付加する方法で、撮影者乃至は観察者の個人情報と、前記画像を分類する画像分類情報の少なくとも一つの情報と、前記広告を提供する広告主の要望情報とに基づいて複数の広告からなる広告群の内から適した広告を選択するステップと、付加する略同一広告の数が所定数を越えると他の広告を選択するステップと、前記選択された広告を前記画像に付加するステップとを備えた広告付加方法を提供することにある。
【０００８】
また、さらに撮影者によって撮影された写真を含む画像に広告が付加される広告付き画像で、前記撮影者乃至は観察者の個人情報と、前記画像を分類した画像分類情報の少なくとも一つの情報と、広告を提供する広告主の要望情報とに基づいて前もって記憶された広告群の内から広告を選択し、前記選択される広告が略同一でその広告の数が所定数を越えると他の広告を選択して付加するように制御される広告付き画像を提供することにある。
【発明の効果】
【０００９】
上述したように本発明により撮影者または観察者の個人情報、画像の分類情報の少なくとも一つの情報と、広告主の要望情報とに基づいて選択された広告が写真に付加されるが、一つの広告が偏ることなく複数の広告が分配されて付加されるので複数の製品を持つ広告主また、複数の広告主の代理店にとっても効果があり、プリント代を補助するメリットを享受する撮影者並びに観察者にとっても複数の広告を知ることが出来るメリットを有する。
【発明を実施するための最良の形態】
【００１０】
図１は、本発明の広告付加装置の概略構成を示す。１は広告コンテンツ適合システム装置、２は撮影者乃至は観察者が画像を入力し転送させるパーソナルコンピューターや携帯電話機等であるクライアント端末を示し、不図示のインターネット等のネットワークを介して広告コンテンツ適合システム装置１とクライアント端末２は接続されている。広告コンテンツ適合システム装置１は、３で示す画像サーバ、４で示す顧客管理サーバ、５で示す広告コンテンツサーバ、６で示す適合システムで構成されている。７は画像サーバ３に保管された画像と広告コンテンツサーバ５に保管された広告とを合成する合成システムを示し、８は合成システム７で合成された広告付き画像をプリントするプリントシステムを示す。
【００１１】
画像サーバ３には画像を保管した９で示す画像データベースと、画像の内容を分類した画像分類情報を含む画像分類情報データベースを示す１０を備える。また、顧客管理サーバ４には１１で示す撮影者の個人属性を備えた撮影者属性データベースと、１２で示す撮影者が撮影した画像を観察する観察者の個人属性を備えた観察者属性データベースと、更に１３で示す観察者が団体である場合に観察者グループの観察者団体属性データベースを備える。また広告コンテンツサーバ５には、１４で示す広告主の要望事項を記憶した広告ターゲットデータベースと１５で示す１つ又は複数の広告データを格納する広告コンテンツデータベースとを備え、広告コンテンツデータベース１５は広告ターゲットデータベース１４のターゲットによって分類されているが、広告コンテンツは１つ又は複数の広告ターゲットデータに対応している。広告適合サービスを管理する適合システム６を中心として、撮影者乃至は観察者がネットワークを介して画像を格納する画像サーバ３内の画像データベース９及び、撮影者乃至は観察者の個人情報を登録する顧客管理サーバ４には撮影者属性データベース１１と、観察者属性データベース１２と、観察者がグループである場合の観察者グループ属性データベース１３に接続されており、広告コンテンツサーバ５からの要求に応じて適合することができ、適合されたデータはネットワークによって合成システム７で画像と広告コンテンツが合成されたデータが、プリントシステム８へと伝達することができる。なお図１では、合成システム７の後にプリントシステム８が接続されているが、適合後に合成するのではなくプリント後に広告コンテンツを付加してもよい。例えば、インクジェットプリンターで画像をプリント後に、広告コンテンツをプリントされた画像に再プリントしてもよい。
【００１２】
広告コンテンツ適合システム１に接続するクライアント端末２は、パーソナルコンピューターやカメラ付き携帯電話等のインターネットに接続できる端末を指し、今後送信機能付きデジタルカメラや、デジタルＴＶ等のネットワーク接続が可能な端末を全て対象としている。
【００１３】
画像サーバ３とは、画像データベース９及び画像分類情報データベース１０で構成され、撮影者乃至は観察者並びにクライアント端末への入力を代行するユーザーのクライアント端末２から不図示のインターネット等のネットワークを介して受け取った画像データに対して画像データ処理を行い画像データベース９に格納される。または、画像データベース内に格納後に画像処理をしてもよい。
【００１４】
画像分類情報データベース１０とは、撮影者乃至は観察者が撮影前または撮影後に写真そのものを分類し設定する情報であり、写真の内容を特定するための１つ以上のキーワードを持つ言語及び数字で構成されるタグ情報を格納している。例えば画像データに対して「海」「サーフィン」「晴れ」「きもちいい」等の１つ以上のタグ情報として表され格納することができる。なお、前記画像データは、ＷＷＷ上に設けられたサイト上での観察も考えられ、撮影者乃至は観察者だけではなく画像データを観察した１人以上の第３者が設定することができ、画像内容をいろいろな内容で捉えることができる。
【００１５】
顧客管理サーバ４は、撮影者属性データベース１１、観察者属性データベース１２、観察グループデータベース１３から構成されている。撮影者乃至は観察者並びにクライアント端末への入力を代行するユーザーのクライアント端末２から画像データをインターネット等のネットワークを介して受け取る工程において前記撮影者乃至は観察者の氏名・住所・年齢・性別・国籍・電話番号・メールアドレス・最終学歴・家族構成・配偶者情報・住居形態・趣味嗜好・勤務先情報やその他アンケート項目を入力し保管する処理を撮影者属性データベース１１並びに観察者属性データベース１２が行う。また、観察者が一人以上の場合は、団体などの属性情報を入力させ保管を観察グループデータベース１３が行う。
【００１６】
適合システム６を図２のフローチャートに基づいて説明する。前述したように画像サーバ３と顧客管理サーバ４と広告コンテンツサーバ５のデータを適合して適した広告を選択するものである、本説明は、広告主側が広告要望情報を設定する場合である。まず撮影者からクライアント端末２を介して画像、例えば東京の高校野球予選の写真をアップロードし、Ｓ１に示すように画像データベース９に画像を格納して後、Ｓ２に示すように画像分類情報データベース１０に「野球」「高校」「広場」と撮影者が入力する。顧客管理サーバ４には、Ｓ３で示すように、この写真が贈呈用と撮影者個人用とで分別し、贈呈用の場合は、例えばこの写真を福岡に住む孫に送るので、Ｓ４で示すように観察者属性データベース１３に「福岡市」のデータを入力させる。Ｓ５で示すように広告主が「福岡のプロ野球球団○○」であった場合、広告ターゲットデータベース１４には広告主が設定した要望情報が格納され、観察者属性情報が「福岡市」、画像分類情報を第１優先で「野球」、第２優先で「高校」、第３優先で「広場」を入力すると、Ｓ６に示すように観察者属性データベース１２から対象となる観察者を選択し、Ｓ７で広告コンテンツデータベース１５から第１候補として「福岡のプロ野球球団〇〇」、第２候補として「△△高校の広告」、第３候補として「□□グランド」の広告が選択される。
また、Ｓ３で撮影者個人用の場合は、Ｓ８に撮影者属性データベース１１に「６０歳」のデータが入力される。広告主が「○○温泉」であった場合、Ｓ９には、広告ターゲットデータベース１４に撮影者属性情報が「東京」、画像分類情報が「野球」を入力すると、Ｓ１０に示すように撮影者属性データベース１１から対象者を選択し、Ｓ１１で広告コンテンツデータベース１５から「○○温泉」の広告が選ばれる。
【００１７】
図３は本発明のプリント注文の実態を表すフローチャートである。Ｓ２２のように1つの画像に対して付加される略同一の広告の数ｐがｎ（ｎは所定値）以下の場合にＳ２３にように第１広告を選択し、略同一の広告の数ｐがｎよりも多く、２ｎ枚以下の場合はＳ２４のように第２広告を選択し、略同一の広告の数ｐが２ｎ枚より多いときにはＳ２５に示すように第３広告を選択する。図３では1枚の画像に対し３ｎ枚までプリントする場合を示しており、３ｎ枚以上のときは、前述のとおり、略同一の広告の数がｎになる度に広告を変えて付加する。
【００１８】
図２で示すように画像に対して付加される略同一の広告（「プロ野球球団○○の広告」）の数が所定数以上の数になると、次の広告（「△△高校の広告」）を選択される。その次に「□□広場の広告」が選択される。すなわち、最初に選択される広告は広告付加装置の広告コンテンツ適合システム装置の、撮影者乃至は観察者の個人情報、画像分類情報、広告主の要望情報から最適な広告（図３では第１広告）が選択される。付加される略同一の広告の数が所定数以上の数になると次に適した広告（第２広告）が選択される。第２広告が選択され、所定数以上になると次に適した広告（第３広告）が選択される。以上に説明したように一つの広告が偏って付加されないので広告主も、一つの製品の広告だけでなくて他の製品の広告も付加され、また複数の広告主をまとめている代理店においてもこのように偏ることなく付加される広告が分配されるので好都合な効果を発揮する。また、撮影者または観察者にとっても複数の広告を知ることが出来て好都合である。
【００１９】
ここで略同一の広告としたのは、同一広告主の広告にも少し変えてバリエーションを持たせることはよく行なうことであり、それらを含めた広告であり、同一の広告に限ると本発明の主旨から外れるので略同一の広告と表現をしている。
【００２０】
図２のフローチャートによると画像分類情報と個人情報と広告主の要望情報に基づいて広告を選択しているが、画像分類情報又は個人情報の一つの情報と広告主の要望情報とから付加する広告を選択する場合を含んでもよく本発明の権利範囲である。
【図面の簡単な説明】
【００２１】
【図１】本発明に係る広告付加装置の概略構成を示す。
【図２】本発明に係る適合システムの内容を表すフローチャートを示す。
【図３】本発明に係るプリント注文の実態を表す一つのフローチャート例を示す。
【符号の説明】
【００２２】
１ …広告コンテンツ適合システム装置
２ … クライアント端末
３ … 画像サーバ
４ … 顧客管理サーバ
５ … 広告コンテンツサーバ
６ … 適合システム
７ … 合成システム
８ … プリントシステム
９ … 画像データベース
１０ … 画像分類情報データベース
１１ … 撮影者属性データベース
１２ … 観察者属性データベース
１３ … 観察者グループデータベース
１４ … 広告ターゲットデータベース
１５ … 広告コンテンツデータベース
【図１】
2008040624.tif 000003
【図２】
2008040624.tif 000004
【図３】
2008040624.tif 000005